(57)【要約】【課題】  紛失した携帯無線機を早期に効率よく探し当てることができる携帯電話機を提供すること。【解決手段】  本発明に係る携帯無線機１は、データを受信する受信部１０２と、受信部１０２によりデータ受信中の携帯電話機以外の携帯電話機からの着信を拒否する設定を行うと共に、報知音を出力させるための処理プログラム１０８ｂを、識別番号１０８ａに対応して記憶する記憶部１０８と、受信データ中に識別番号１０８ａがあるか否かを判定する判定部１０９と、判定部１０９が、受信データ中に識別番号１０８ａがあると判定したとき、記憶部１０８に記憶された処理プログラム１０８ｂを実行する制御部１１１とを備えている。【選択図】          図１
2007013244.tif 000002
【特許請求の範囲】
【請求項１】
データを受信する受信部と、
上記受信部によりデータ受信中の通信機以外の通信機からの着信を拒否する設定を行うと共に、報知音を出力させるためのプログラムを、識別番号に対応して記憶する記憶部と、
受信データ中に上記識別番号があるか否かを判定する判定部と、
上記判定部が、上記受信データ中に上記識別番号があると判定したとき、上記記憶部に記憶された上記プログラムを実行する実行部とを備えた携帯無線機。
【請求項２】
上記プログラムは、一定時間の間、データ受信中の通信機以外の通信機からの着信を拒否する設定を行うと共に、所定の処理を行わせるためのものであることを特徴とする請求項１に記載の携帯無線機。
【請求項３】
上記プログラムは、データ受信中の通信機以外の通信機からの着信を拒否する設定を行うと共に、報知音量を時間経過に応じて増加しながら報知音を出力させるためのものであることを特徴とする請求項１に記載の携帯無線機。
【請求項４】
上記判定部は、所定回数分の全ての受信データ中に上記識別番号があるか否かを判定し、
上記実行部は、上記判定部が、上記所定回数分の全ての受信データ中に上記識別番号があると判定したとき、上記記憶部に記憶された上記プログラムを実行することを特徴とする請求項１に記載の携帯無線機。
【請求項５】
上記判定部は、上記受信データ中に上記識別番号と、この識別番号に対応して設定された暗証番号があるか否かを判断し、
上記実行部は、上記判定部が、上記受信データ中に上記識別番号および上記暗証番号があると判定したとき、上記記憶部に記憶された上記プログラムを実行することを特徴とする請求項１に記載の携帯無線機。
【発明の詳細な説明】
【技術分野】
【０００１】
この発明は、携帯無線機に関し、例えば、消音モード機能を有する携帯電話機や携帯情報端末等の携帯無線機に関する。
【背景技術】
【０００２】
近年、携帯電話機使用の際、周囲に迷惑がかかるような場所等で使用する場合に、通話着信やメール着信をバイブレーター（振動）や着信ランプの点灯のみで使用者に知らせるための消音モード（マナーモード）機能を有する携帯無線機が広く普及してきている。
使用者が携帯無線機を置き忘れ等により紛失したとき、使用者は当該紛失した携帯無線機等に発信を行い、報知音を手掛かりに探すことができる。しかし、当該紛失した携帯無線機が消音モード設定中であったときには報知音が出力されないため、使用者は当該紛失した携帯無線機を探し当てることができない。
【０００３】
このような問題に対して、例えば、消音モードに設定された携帯情報端末に対して、外部から着信報知手段を変更し、使用者に呼出音で着信を知らせることができる技術が提案されている。具体的には、着信信号中の着呼報知手段切換信号の有無を確認し、切換信号があった場合には、記憶部に予め登録された切換信号と照合し、着呼報知手段の設定切換（例えば、消音モード設定を解除）を行うことができる携帯情報端末が提案されている（例えば、特許文献１）。
【特許文献１】特開２００２−１０１１５８号公報
【発明の開示】
【発明が解決しようとする課題】
【０００４】
しかしながら、特許文献１に記載の技術では、着信信号中の着呼報知手段切換信号に基づいて、記憶部に予め登録された切換信号と照合し、着呼報知手段の設定切換を行っている間に、他の携帯情報端末や携帯無線機等の通信機から着信した場合、着呼報知手段の設定切換の作業が中断してしまうことがあった。これでは、使用者は当該紛失した携帯無線機を早期に効率よく探し当てることができない。
【課題を解決するための手段】
【０００５】
本発明に係る携帯無線機は、データを受信する受信部と、受信部によりデータ受信中の通信機以外の通信機からの着信を拒否する設定を行うと共に、報知音を出力させるためのプログラムを、識別番号に対応して記憶する記憶部と、受信データ中に識別番号があるか否かを判定する判定部と、判定部が、受信データ中に識別番号があると判定したとき、記憶部に記憶されたプログラムを実行する実行部とを備えたものである。
【０００６】
このように、記憶部に識別番号に対応して記憶されたプログラムを実行することにより、データ受信中の通信機以外の通信機からの着信を拒否する設定を行うと共に、報知音を出力させることができ、紛失した携帯無線機を早期に効率よく探し当てることができる。
【発明の効果】
【０００７】
本発明により、紛失した携帯無線機を早期に効率よく探し当てることができる。
【発明を実施するための最良の形態】
【０００８】
本発明の実施の形態に係る携帯電話機の構成について、図に基づいて説明する。
図１は、本発明の実施の形態に係る携帯電話機の構成を示す図である。
図１に示されるように、本発明の実施の形態に係る携帯無線機としての携帯電話機１は、アンテナ１０１、送受信部１０２、操作部１０３、マイク１０４、スピーカ１０５、バイブレータ１０６、表示部１０７、記憶部１０８、判定部１０９、タイマー１１０および制御部１１１を含んで構成されている。なお、携帯電話機に限定されず、例えば携帯情報端末やＰＨＳ（Personal Handyphone System）端末等の無線機も携帯無線機に含まれる。
送受信部１０２は、アンテナ１０１および制御部１１１に接続されている。送受信部１０２は、制御部１１１の制御に従って、アンテナ１０１を介して、他の携帯電話機（不図示）や無線基地局（不図示）との間で、データの送受信を行う。
【０００９】
操作部１０３は、制御部１１１に接続されており、たとえば携帯電話機１の表面に配列された複数の釦スイッチにより構成され、送信先の電話番号や所定のプログラムを動作させるための識別番号や暗証番号の入力等、当該携帯電話機１の操作に関する信号入力に用いられる。操作部１０３は、複数の釦スイッチにより構成されるとしたが、釦スイッチに代えて、例えば、ロータリースイッチ、タッチパッド、音声入力デバイスなどを用いてもよい。また、さらに、操作部１０３をこれら複数種の組合せで構成してもよい。
マイク１０４は、制御部１１１に接続されており、入力される音声を制御部１１１の制御に従って電気信号に変換する。
【００１０】
スピーカ１０５は、制御部１１１に接続されており、例えば通話相手の音声の電気信号を、制御部１１１の制御に従って、音声変換して音声出力する。また、スピーカ１０５は、当該携帯電話機１の使用者に対して、電話の着信があったことを伝えるための報知音を出力する。なお、報知音は予め、記憶部１０８中にその複数種類が登録されている。
バイブレータ１０６は、制御部１１１に接続されており、当該携帯電話機１の使用者に対して、電話の着信があったことを、報知音に代えて振動で伝えるために用いられる。バイブレータ１０６は、例えば、円筒状のモータの一端に設けられた回転軸の先端に、分銅を取り付けることにより構成されており、モータ作動により回転軸を回転させて分銅を偏心運動させて、携帯電話機１全体に対して振動を起こしている。
【００１１】
表示部１０７は、制御部１１１に接続されており、制御部１１１の制御に従って、当該携帯電話機１の使用者に対して提供するための情報を表示する。表示部１０７は、例えば、携帯電話機１の使用者が、操作部１０３により電話番号や特定のプログラムを動作させるための識別番号やその暗証番号を入力しているときに、当該入力内容を当該携帯電話機１の使用者に対して提供するために用いられる。なお、表示部１０７は液晶表示装置や有機ＥＬ（Electro luminescence）表示装置等により構成されている。
記憶部１０８は、制御部１１１に接続されており、この記憶部１０８に記憶された各情報は、制御部１１１により読み込み、書き出し、変換、実行等される。記憶部１０８には、処理プログラム１０８ｂが識別番号１０８ａに対応して記憶されている。
【００１２】
処理プログラム１０８ｂは、データ受信中の通信機以外の通信機からの着信を拒否する設定を行うと共に、報知音をスピーカ１０５から出力させる処理が設定されて構成されている。なお、暗証番号１０８ｃを識別番号１０８ａに対応させて設定し、これを記憶部１０８に記録してもよい。これにより、当該携帯電話機１の使用者以外の者により、処理プログラム１０８ｂを実行される危険性を低減し、より高いセキリティー性を得ることができる。また、処理プログラム１０８ｂは、予め設定された一定時間の間だけ、データ受信中の通信機以外の通信機からの着信を拒否し、報知音を出力させる設定がされてもよい。このように設定することにより、無用に報知音を出力し続けるのを防止することができる。なお、処理プログラム１０８ｂを実行した後の経過時間は、後述のタイマー１１０により計測する。
【００１３】
判定回数設定情報１０８ｄには、後述の判定部１０９が受信データ中に識別番号１０８ｃがあるか否かの判定をする際に必要な着信回数が、判定回数の設定情報として記録されている。すなわち、複数回の受信を受けたときには、判定部１０９は、各々の着信において、受信データ中に識別番号１０８ｃがある否かを判定する。なお、判定回数設定情報１０８ｄは、操作部１０３の操作によって、設定変更することができる。
【００１４】
報知音量設定情報１０８ｅには、スピーカ１０５が出力する報知音の音量設定情報が、記録されている。例えば、報知音量はレベル１−レベル５の５段階に設定可能であり、当該携帯電話機１の使用者は、操作部１０３を用いてレベル１−レベル５のいずれかを設定することができる。また、時間経過に応じてレベル１からレベル５に切り換えて、徐々に報知音量を大きくしていくステップアップトーンの設定も行える。ステップアップトーンに設定する利点として、当該携帯電話機１の使用者が他の電話機からの着信に早期に気付いたときには、小さい報知音量のうちに報知音をとめることができるため、報知音による周囲への迷惑を軽減することができ、また、当該携帯電話機１の使用者が他の電話機からの着信に早期に気付けなくても、報知音量を段階的に大きくして報知音が出力されるので、当該携帯電話機１の使用者が確実に着信に気付くことができる点にある。
【００１５】
判定部１０９は、制御部１１１に接続されており、制御部１１１の制御に従って、受信データ中に、記憶部１０８に記憶されている識別番号１０８ａがあるか否かを判定する。このとき、判定部１０９は、記憶部１０８に記憶されている判定回数設定情報１０８ｄを参照して、判定を行う。すなわち、判定回数設定情報１０８ｄに従って、所定回数分の全ての受信データ中に、識別番号１０８ａがあるか否かを判定する。
タイマー１１０は、制御部１１１に接続されており、制御部１１１の制御に従って、処理プログラム１０８ｂを実行した後の経過時間を計測する。
【００１６】
制御部１１１は、送受信部１０２、操作部１０３、マイク１０４、スピーカ１０５、バイブレータ１０６、表示部１０７、記憶部１０８、判定部１０９およびタイマー１１０に接続されており、これら各部および送受信部１０２に接続されたアンテナ１０１を制御し、当該携帯電話機１の全体を制御する。特に、制御部１１１は、処理プログラム１０８ｂの実行部として、判定部１０９が、記憶部１０８に記憶されている識別番号１０８ａが受信データ中にあると判定したとき、記憶部１０８に記憶された処理プログラム１０８ｂを実行する。判定回数設定情報１０８ｄが設定されている場合には、制御部１１１は、判定回数設定情報１０８ｄに従って、所定回数分の全ての受信データ中に、識別番号１０８ａがあると判定したとき、記憶部１０８に記憶された処理プログラム１０８ｂを実行する。
【００１７】
次に、本発明の実施の形態に係る携帯電話機の使用方法を図に基づいて説明する。
まず、処理プログラム１０８ｂの設定方法について、図に基づいて説明する。図２は、本発明の実施の形態に係る携帯電話機の処理プログラムの設定手順を示す図である。
図２に示されるように、携帯電話機１（携帯電話端末）にて、遠隔マナーモード（消音モード）解除機能を設定する（ステップ（ＳＴＥＰ（以下、単にＳと称する））２０１）。すなわち、記憶部１０８に記憶され、データ受信中の通信機以外の通信機からの着信を拒否する設定を行うと共に、報知音をスピーカ１０５から出力させるための処理プログラム１０８ｂを動作可能となるように、操作部１０３を用いて諸設定する。
【００１８】
次に、マナーモード解除に必要な着信回数を設定する（Ｓ２０２）。具体的には、複数回の受信を受けたとき、各々の受信データ中に識別番号１０８ｃがある否かを、判定部１０９に判定させる際の判定回数が記録されている判定回数設定情報１０８ｄを設定変更する。例示として、ここでは、マナーモード解除に必要な着信回数、すなわち判定部１０９に判定させる際の判定回数を２回とし、判定回数設定情報１０８ｄを変更設定する。
【００１９】
次に、マナーモード解除に必要なポーズダイヤル番号の設定をする（Ｓ２０３）。すなわち、処理プログラム１０８ｂに対応されて記憶部１０８に記憶されている識別番号１０８ａの設定変更を行う。ここでは、当該携帯電話機１の販売時におけるデフォルトとして例えば００００が設定されているものを、例えば１１１１に設定変更するものとする。なお、識別番号１０８ａと合わせて、暗証番号１０８ｃを設定することもできる。ここでは、暗証番号を１２３４に設定したものとする。
【００２０】
次に、遠隔マナーモード解除機能を始動させるための設定を行うか否か、操作部１０３を用いて決定する（Ｓ２０４）。そして、遠隔マナーモード解除機能を始動させるための設定を行った場合には（Ｓ２０４）、遠隔マナーモード解除機能が始動する（Ｓ２０５）。すなわち、携帯電話機１において、記憶部１０８に記憶され、データ受信中の通信機以外の通信機からの着信を拒否する設定を行うと共に、報知音をスピーカ１０５から出力させるための処理プログラム１０８ｂが、動作可能な状態となる。一方、遠隔マナーモード解除機能を始動させるための設定を行わない場合には（Ｓ２０４）、遠隔マナーモード解除機能が始動せずに処理が終了する。
【００２１】
次に、本発明の実施の形態に係る携帯電話機の動作について、図に基づいて説明する。図３は、本発明の実施の形態に係る携帯電話機のマナーモード解除動作を示すフロー図である。
ここで、携帯電話機１の使用者が、遠隔マナーモード解除機能が設定された当該携帯電話機１を紛失した場合を想定する。
まず、紛失した携帯電話機１の使用者は、マナーモード解除を行う携帯電話機に向けて、ポーズダイヤル（例えば１１１１）付き発信（１回目）を行う（Ｓ３０１）。具体的には、紛失した携帯電話機の電話番号（例えば０９０１２３４５６７８）の後に、処理プログラム１０８ｂに対応するポーズダイヤル（識別番号）１０８ａ（例えば１１１１）を付加し、更に、識別番号１０８ａの後に報知音の報知回数を５回とする意をなす数字（５）を付加した「０９０１２３４５６７８１１１１５」を、紛失した携帯電話機１に対して発信する。なお、報知回数は５回以外に設定することができ、報知回数に応じた数字を識別番号１０８ａの後に付加することができる。
【００２２】
そして、紛失した携帯電話機１の送受信部１０２は、アンテナ１０１を介して、電話番号、識別番号および報知回数に関する数字の組合せ数列を受信する。次に、判定部１０９が、制御部１１１を介して、受信した組合せ数列中に、記憶部１０８に予め記憶された識別番号１０８ａがあるか否か判定する。例示では、図２のＳ２０３で設定したポーズダイヤル番号、すなわち識別番号を「１１１１」と設定していたので、判定部１０９は、記憶部１０８に予め記憶された識別番号１０８ａと同一のものがあると判定し、制御部１１１は判定回数を１としてカウントする。
ここでは、図２のＳ２０２で説明したように、マナーモード解除に必要な着信回数、すなわち判定部１０９に判定させる際の判定回数を２回として、判定回数設定情報１０８ｄが設定されているので、着信音（報知音）を鳴動させないで、マナーモード（消音モード）機能での報知（例えばバイブレータ１０６の振動による報知）をした後（Ｓ３０２）、着信動作を終了する（Ｓ３０３）。
【００２３】
次に、再度、マナーモード解除を行う携帯電話機に向けて、ポーズダイヤル（例えば１１１１）付き発信（２回目）を行う（Ｓ３０４）。具体的な処理については、Ｓ３０１と同様である。そして、携帯電話機１は、１回目および２回目の全ての着信において、図２のＳ２０３で設定したポーズダイヤル番号、すなわち識別番号「１１１１」があると判定する。この判定結果により、実行部としての制御部１１１が、マナーモードを一時的に解除し、着信音（報知音）を鳴動させる（Ｓ３０５）。すなわち、判定部１０９が受信データ中に識別番号１０８ａがあると判定したとき、制御部１１１が、記憶部１０８に記憶された処理プログラム１０８ｂを実行することにより、送受信部１０２によりデータ受信中の通信機以外の通信機からの着信を拒否する設定を行うと共に、スピーカ１０５から報知音が出力される。
【００２４】
ここで、紛失した携帯電話機１が受信する数列内において、ポーズダイヤル番号、すなわち識別番号の後には、報知回数を５回とする意をなす数字「５」が付されているので、例えば、報知音量がステップトーンとなるように、報知音量設定情報１０８ｅにて設定されていた場合には、まず、報知音量レベル１の報知音を５回出力し、順次、報知音量レベルをひとつずつ上げていきながら、各々５回ずつ報知音を出力する。また、処理プログラム１０８ｂの実行後の経過時間を、タイマー１１０が計測し、設定された時間が経過した時点で、制御部１１１がスピーカ１０５からの報知音の出力を停止して、処理を終了する。また、処理終了にあわせて、紛失した携帯電話機１の着信履歴を消去してもよい。なお、Ｓ３０２、Ｓ３０５において、記憶部１０８にて暗証番号１０８ｃが設定されている場合には、判定部１０９は、受信データに含まれる暗証番号が、記憶部１０８に記憶された暗証番号１０８ｃと合致するか否かを識別番号と合わせて判断し、識別番号および暗証番号の双方が一致した場合に、スピーカ１０５が制御部１１１の制御により報知音を出力させる。
【００２５】
以上のとおり、記憶部１０８に識別番号１０８ａに対応して記憶された処理プログラム１０８ｂを実行することにより、データ受信中の通信機以外の通信機からの着信を拒否する設定を行うと共に、報知音をスピーカ１０５より出力させることができ、紛失した携帯無線機１を早期に効率よく探し当てることができる。
【００２６】
以上の説明は、本発明を実施の形態を説明するものであり、本発明が以上の実施の形態に限定されるものではない。また、当業者であれば、以上の実施の形態の各要素を、本発明の範囲において、容易に変更、追加、変換することが可能である。
上記実施態様では、遠隔マナーモード解除機能について説明したが、例えばドライブモード設定を行うための処理プログラムや、携帯電話機１の照明設定を行うための処理プログラムを、ポーズダイヤル（識別番号）に対応して記憶することもできる。
【図面の簡単な説明】
【００２７】
【図１】本発明の実施の形態に係る携帯電話機の構成を示す図である。
【図２】本発明の実施の形態に係る携帯電話機の処理プログラムの設定手順を示す図である。
【図３】本発明の実施の形態に係る携帯電話機のマナーモード解除動作を示すフロー図である。
【符号の説明】
【００２８】
１  携帯電話機
１０１  アンテナ
１０２  送受信部
１０３  操作部
１０４  マイク
１０５  スピーカ
１０６  バイブレータ
１０７  表示部
１０８  記憶部
１０８ａ  識別番号
１０８ｂ  処理プログラム
１０８ｃ  暗証番号
１０８ｄ  判定回数設定情報
１０８ｅ  報知音量設定情報
１０９  判定部
１１０  タイマー
１１１  制御部
【図１】
2007013244.tif 000003
【図２】
2007013244.tif 000004
【図３】
2007013244.tif 000005